Podtech/llm-jp-corpus-v4-ja_patent huggingface dataset:
(57)【要約】      （修正有）【課題】通常は普通の椅子として使用し、災害時には簡易トイレとして活用でき、また簡単に持ち運びすることができる。【解決手段】椅子を通常の使用に供する座る部分１と小及び大便の用を足すときに座る座位２と排泄物を受ける容器部分３と災害時に使用できる防災小物グッズを入れておく箱状のもの５の四層構造にすることによって、日常の生活の中で使用していて、地震等の災害時にすぐに持ち出したり使用したりできる。排泄物を受ける容器の中に凝固剤４を施してあるので排泄物が凝固して処理がしやすい。椅子の足の部分を二つの車輪７と二つの足６若しくは四つの車輪にすることよって災害時に容易に持ち運びできるようにする。【選択図】図１
0003127685.tif 000002
【実用新案登録請求の範囲】
【請求項１】
金属または木製または合成樹脂等でつくられており、椅子の座位部分の一番上の部分は通常のときに座る部分であり蓋状で開け閉めができるようになっており、その下の部分は小及び大便等の用を足すときに座る部分となっており、その下の部分は小及び大便を受ける容器となっており、一番下の部分は災害用の防災小物グッズを入れる引き出し状のものとなっており、最下部には二つの車輪と二つの足若しくは四つの車輪が付いている、通常は普通の椅子として使用し、災害時には簡易トイレとして活用でき、また簡単に持ち運びすることができることを目的とした椅子である。
【考案の詳細な説明】
【考案の詳細な説明】
【技術分野】
【０００１】  本考案は，通常はリビングやダイニングにおいて座るための椅子として使用し、地震その他の災害時には簡易トイレとして使用できる、たやすく移動可能な椅子である。
また、この簡易トイレは四層構造となっており、一番上の部分は通常は座る部分で開閉が可能な蓋状のものとなっており、その下の部分は小及び大便等の用を足すための座る部分となっており、その下の部分は小及び大便を受ける容器となっており、一番下の部分は災害用の防災小物グッズを入れる引き出し状のものとなっており、最下部には二つの車輪と二つの足若しくは四つの車輪が付いており、緊急時に簡単に持ち運びすることができるようになっている。
また、小及び大便を受ける容器の中には小及び大便を吸収して凝固させる凝固剤を施してあり、災害時に使用した後も清潔さを保つことができる。
【背景技術】
【０００２】  従来の簡易トイレは目的がトイレだけであり、日常の椅子として使用できなく、また防災グッズなどを収納していない。
【考案が解決しようとする課題】
【０００３】  以上のように，従来の技術ではいろいろな問題を抱えている。そこで本考案において，解決しようとする課題は次のようなものである。
▲１▼  簡易トイレを保有していても保管場所が倉庫や押入れなどであり、地震などの災害時にすぐに持ち出したり使用したりできない。
▲２▼  今までの簡易トイレは排泄物を処理しにくい。
▲３▼  災害時には防災小物グッズがすぐに見つかったりしない。
【課題を解決するための手段】
【０００４】  本考案は，この課題を解決するために次のような手段を講じる。
▲１▼  椅子を通常の使用に供する座る部分と小及び大便の用を足すときに座る座位と排泄物を受ける容器部分と災害時に使用できる防災小物グッズを入れておく箱状のものの四層構造にすることによって、日常の生活の中で使用していて、地震等の災害時にすぐに持ち出したり使用したりできる。
▲２▼  排泄物を受ける容器の中に凝固剤を施してあるので排泄物が凝固して処理がしやすい。
▲３▼  椅子の足の部分を二つの車輪と二つの足若しくは四つの車輪にすることよって災害時に容易に持ち運びできるようにする。
【考案を実施するための最良の形態】
【０００５】  本考案のもっとも好ましい実施の形態を，添付図の図１，に基づいて説明する。
図１において，１は通常座る部分で開閉可能な蓋の部分である。２は小及び大便等の用を足すときに座る部分である。３は小及び大便を受ける容器である。４は排泄物を凝固させる凝固剤である。５は災害用の防災小物グッズを入れる引き出し状の箱の部分である。６は椅子の足である。７は椅子の車輪である。
【考案の効果】
【０００６】  本考案による防災用椅子型簡易トイレを使用することによって，次のような効果がある。
▲１▼  日常の生活に椅子として使用しているので、地震等の突発的な災害時などにすぐに持ち出したり使用したりできる。
▲２▼  排泄物を受ける容器の中に凝固剤を施してあるので排泄物が凝固して処理がしやすい。
▲３▼  災害時には防災小物グッズがすぐに使える。
【図面の簡単な説明】
【図１】  本考案による災害時に簡易トイレとして活用可能な椅子そのものを斜め横から見たときの完成図である。
【符号の説明】
１…………通常座る部分で開閉可能な蓋の部分
２…………小及び大便等の用を足すときに座る部分
３…………小及び大便を受ける容器
４…………排泄物を凝固させる凝固剤
５…………災害用の防災小物グッズを入れる引き出し状の箱の部分
６…………椅子の足
７…………椅子の車輪
【図１】
0003127685.tif 000003
(57)【要約】      （修正有）【課題】桧の大鋸屑を靴下本体底面に取り付け、新陳代謝を良くし、壷刺激、指圧、血行促進をする。【解決手段】靴下本体１、の土踏まず部分２、に袋入り桧大鋸屑３を共布４、で覆い、袋６、をレース糸７、で取り付けることにより、人体の壷刺激、指圧、血行促進に役立つ。【選拓図】図１【実用新案登録請求の範囲】
【請求項１】
桧大鋸屑を袋詰めし、靴下底部の土踏まず部分に、共布で取り付けた。綿１００パーセントの靴下と桧の殺菌力は壷刺激、指圧により血行促進に効果的。コンパクト・清潔・安価の為、携帯に便利である。天然木材桧の大鋸屑を特徴とする桧大鋸屑健康靴下。
【考案の詳細な説明】
【技術分野】
【０００１】  本考案は、桧大鋸屑を袋詰めし、足の土踏まず部分に取り付けた靴下に関するものである。
【背景技術】
【０００２】  桧の殺菌力と綿１００パーセントの靴下、人体に不可決な天然木材使用、壷刺激、指圧により血行促進に効果的。コンパクト、清潔、安価の為、携帯に便利である。桧の大鋸屑が付いた靴下はなかった。
【考案の解決しようとする課題】
【０００３】  靴のメーカーで磁石を取り付けて血行を良くする製品がある。履いてみて重いしむれる。靴なので洗濯できない為不潔である。磁石の付いた靴を桧大鋸屑の付いた靴下に変えることにより、この欠点を解決しようとするものである。
【課題を解決するための手段】
【０００４】  本考案は、桧大鋸屑使用の靴下で血流を良くし、生活習慣病を改善する。室内、室外どこでも使用できる。軽量なので足に不担がかからず、汚れたらその場で洗濯、干す、乾く、はくことができる為、問題点を解決している。
【考案の効果】
【０００５】  上述の様に、本考案の桧大鋸屑健康靴下は、桧の大鋸屑、綿の靴下、綿の共布と自然素材使用の為、働きながら健康になる。飛行機に乗っても浮かないで足元が安定している。綿１００パーセントの為、身体の水分を保持している。疲労回復、胃痛、生理不順、むくみ、不眠症、便秘等の症状に効果的となる。また、森林浴気分とオシャレが楽しめる。壷刺激、指圧、血行促進に役立つ。
【考案を実施するための最良の形態】
【０００６】  靴下本体底面の土踏まずの部分に桧大鋸屑を袋詰めし、共布で覆い、レース糸で取り付ける。また、靴下の右足用、左足用が一目瞭然となるよう靴下本体側面にネーム刺しゅうとビーズを付けることにより、効果的となる。
【実施例】
【０００７】  以下、添付図面に従って一実施例を説明する。図１は右足底面図、図２は左足底面図、共に足裏土踏まず部分に、図３拡大図にある桧大鋸屑入り袋を取り付ける。【０００８】  １、は綿素材で２２．０センチメートルから２４．０センチメートルの靴下本体、５、桧大鋸屑を６、袋に入れ、３、袋入り桧大鋸屑を４、共布で、足裏底面２、土踏まず部分に７、レース糸で取り付ける。【０００９】  図４、内側側面図の２、土踏まず部分に３、袋入り桧大鋸屑図３、拡大図を取り付ける。図５外側側面図は紳士用、婦人用共にコマキキヌヨのＫ．Ｋの８、ネーム刺しゅうを付け、婦人用は９、ビーズを付ける。即ち、桧大鋸屑健康靴下の右足用、左足用が一目瞭然となる。
【図面の簡単な説明】
【００１０】〔図１〕〔図２〕は本考案の桧大鋸屑健康靴下の実施例を示す底面図である。
〔図３〕本靴下の拡大図である。
〔図４〕〔図５〕は本靴下の側面図である。
【符号の説明】
【００１１】〔図１〕右足底面図
〔図２〕左足底面図
〔図３〕拡大図
〔図４〕内側側面図
〔図５〕外側側面図
１    靴下本体
２    土踏まず部分
３    袋入り桧大鋸屑
４    共布
５    桧大鋸屑
６    袋
７    レース縫い目
８    ネーム刺しゅう  紳士用・婦人用、コマキキヌヨのＫ．Ｋ
９    ビーズ  婦人用
【図１】
0003127681.tif 000002
【図３】
0003127681.tif 000003
【手続補正書】
【提出日】平成18年6月2日(2006.6.2)
【手続補正１】
【補正対象書類名】実用新案登録請求の範囲
【補正対象項目名】全文
【補正方法】変更
【補正の内容】
【実用新案登録請求の範囲】
【請求項１】
底部において、天然木材の桧大鋸屑使用を特徴とする桧大鋸屑健康靴下。
【手続補正２】
【補正対象書類名】明細書
【補正対象項目名】００１０
【補正方法】変更
【補正の内容】
【００１０】
【図１】本考案の桧鋸屑健康靴下の実施例を示す底面図である
【図２】本靴下の側面図である
【手続補正３】
【補正対象書類名】明細書
【補正対象項目名】００１１
【補正方法】変更
【補正の内容】
【００１１】１  靴下本体
２  土踏まず部分
３  袋入り桧大鋸屑
４  共布
５  桧大鋸屑
６  袋
７  レース縫い目
８  ネーム刺しゅう  紳士用、婦人用コマキキヌヨのＫ．Ｋ
９  ビーズ  婦人用
【手続補正４】
【補正対象書類名】図面
【補正対象項目名】全図
【補正方法】変更
【補正の内容】
【図１】
0003127681.tif 000004
【図２】
0003127681.tif 000005
【手続補正書】
【提出日】平成18年9月8日(2006.9.8)
【手続補正１】
【補正対象書類名】実用新案登録請求の範囲
【補正対象項目名】全文
【補正方法】変更
【補正の内容】
【実用新案登録請求の範囲】
【請求項１】
天然木材桧の大鋸屑使用、桧大木の削った屑を袋詰めし、共布をレース針で靴下底面の土踏まず部分に取り付けるとともに、靴下側面にはビーズを付けることにより、土踏まずの右足用、左足用をくべつした桧大鋸屑健康靴下。
(57)【要約】【課題】児童や高齢者等も容易かつ安全に操作できる空中を自由に飛行或いは静止する模型等の飛行体を作成する。【解決手段】ヘリコプターと気球の原理を組み合わせる機構によって、双方の弱点を補い長所を活かした構造とする。【選択図】図１
0003127683.tif 000002
【実用新案登録請求の範囲】
【請求項１】
ヘリュームまたは加熱したガスを充填した気球による浮力を主な上昇力とし、気球に結合した電動モーター等駆動装置によって回転する回転翼の生成する気流を主として垂直方向の推力とし、駆動装置の回転数または回転方向もしくは回転翼の迎え角の変化によって垂直方向の推力を制御し、回転翼によって生成する気流の後流内に装着した整流翼の迎え角及び水平面の方位の変化もしくは回転翼の軸の傾斜の変化によって気流の方向を変え前後左右の水平方向の主な推進力または垂直方向の補助推力として空中を自由に飛行することをを特徴とする玩具、模型、室内装飾もしくは空中観察装置等の空中飛行体。
また駆動装置、回転翼、整流翼を一組とし複数組を装着することでより複雑な飛行を得ることが可能となる。
【考案の詳細な説明】
【技術分野】
【０００１】ヘリコプターと気球の機構を組み合わせ双方の長所を活かし、児童や高齢者等も容易かつ安全に操作可能な模型や室内装飾、実機などにも利用できるようにしたものである。
【背景技術】
【０００２】ヘリコプター、気球はともに上下方向への移動と静止に適した比較的低速の飛行体であるが、前者は安定性に後者は運動性に弱点があり、ともに児童や高齢者等が容易かつ自由に扱うことに不向きである。
【考案の開示】
【考案が解決しようとする課題】
【０００３】ヘリコプター、気球の二つの異なる飛行原理を組み合わせ、相互の弱点を補い、簡素な構造によって安定した空中移動と静止などを行えるようにし、操作を遠隔操作等によって容易かつ安全に飛行を実現する模型や室内装飾、実機とすることを目的としたものである。
【課題を解決するための手段】
【０００４】主たる上昇力を気球（３）の浮力が分担し、電動モーター（１）等の駆動する回転翼（２）の生成する気流を主として上下方向の運動と高度調整に利用し、気流の方向を変更する整流翼（７）の変化または回転翼（２）の回転軸の変化によって水平面の推力に利用することによって、上下前後左右並びに静止の３次元全方向の自由な飛行を実現する機構とする。
【考案の効果】
【０００５】室内或いは無風または無風に近い戸外において、自律または児童や高齢者も容易かつ安全に遠隔操作等によって操縦できる玩具や模型飛行機等の作成を可能とする。
【考案を実施するための最良の形態】
【０００６】室内或いは無風または無風に近い戸外において、比較的低速で飛行する玩具、模型、装飾、特定の用途の実用機等への応用が最適である。
【実施例】
【０００７】静止時の全重量を気球の浮力より大きくし、室内或いは無風または無風に近い戸外において、児童や高齢者も容易かつ安全に遠隔操作できる玩具または模型の航空機とする。〔図１〕【０００８】静止時の全重量を気球の浮力より小さくし、室内において静止時は天井を収納位置とし、動作時は室内を自由に飛行する児童や高齢者も容易かつ安全に遠隔操作できる玩具または模型の航空機とする。【０００９】静止時の全重量を気球の浮力より小さくし、室内において静止時は天井を装飾し、遠隔操作等によって室内を自由に飛行する移動装飾物とする。【００１０】カメラ等を装着して繋留または自律飛行する構造とし、遠隔操作等によって地上の撮影や観察等を行う装置とする。【００１１】本考案は十分な大きさを確保することで、安全かつ操作容易な有人または無人の垂直上昇航空機に応用することも可能である。
【産業上の利用可能性】
【００１２】玩具、模型、室内装飾として、また静穏な気象条件下での空中撮影、観察等を目的とする装置を比較的安価に製造可能とする。
【図面の簡単な説明】
【００１３】
【図１】静止時は地面にあり、室内或いは無風または無風に近い戸外において、遠隔操作等によって飛行する模型航空機の一例の構造断面図である。
【符号の説明】
【００１４】      １  電動モーター
２  回転翼
３  気球
４  バッテリー、制御回路、受信部等を収納する筐体
５  駆動部を収納する筐体
６  駆動部筐体と気球の結合部
７  整流翼
【図１】
0003127683.tif 000003
【手続補正書】
【提出日】平成18年6月20日(2006.6.20)
【手続補正１】
【補正対象書類名】実用新案登録請求の範囲
【補正対象項目名】全文
【補正方法】変更
【補正の内容】
【実用新案登録請求の範囲】
【請求項１】
ヘリュームまたは加熱したガスを充填した気球による浮力を主な上昇力とし、気球に結合した単一または複数の電動モーター等駆動装置によって回転する回転翼の生成する気流を主として垂直方向の推力とし、駆動装置の回転数または回転方向もしくは回転翼の迎え角の変化によって垂直方向の推力を制御し、回転翼によって生成する気流の後流内に装着した整流翼の迎え角及び水平面の方位の変化もしくは回転翼の軸の傾斜の変化によって気流の方向を変え前後左右の水平方向の主な推進力または垂直方向の補助推力とし遠隔操作等によって空中を自由に飛行することをを特徴とする玩具、模型、室内装飾もしくは空中観察装置等の空中飛行体。
【手続補正書】
【提出日】平成18年9月13日(2006.9.13)
【手続補正１】
【補正対象書類名】実用新案登録請求の範囲
【補正対象項目名】全文
【補正方法】変更
【補正の内容】
【実用新案登録請求の範囲】
【請求項１】
ヘリュームまたは加熱したガスを充填した気球（３）による浮力を主な上昇力とし、気球（３）に結合した単一または複数の電動モーター等駆動装置（１）によって回転する回転翼（２）の生成する気流を主として垂直方向の推力とし、駆動装置（１）の回転数または回転方向もしくは回転翼（２）の迎え角の変化によって垂直方向の推力を制御し、回転翼（２）によって生成する気流の後流内に装着した整流翼（７）の迎え角及び水平面の方位の変化もしくは回転翼（２）の軸の傾斜の変化によって気流の方向を変え前後左右の水平方向の主な推進力または垂直方向の補助推力とし遠隔操作等によって空中を自由に飛行することをを特徴とする玩具、模型、室内装飾もしくは空中観察装置等の空中飛行体。
(57)【要約】      （修正有）【課題】従来にない感触の良さがハスの実にあったので、ハスの実を加工した誰でも簡単に使用できる数珠やネックレスとブレスレッドを提供する。【解決手段】ハスの実（色つけした物等）に穴をあけ、その穴に糸をとおし、次にビーズの穴に糸をとおしでつなぎ結び止め４ａし、房をつなぐ穴にとおす。リリアン糸の束の芯に糸をとおし結びのり付けし、つなぎ結び返しをして房とした数珠。ハスの実（色つけした物等）に穴をあけ、その穴に糸をとおし、次にビーズの穴に糸をとおし、つなぎ結びをし結びをハスの中に入れたネックレス。ハスの実（色つけした物等）に穴をあけ、その穴にゴム糸をとおし、次にビーズの穴にゴム糸をとおし、つなぎ結びをし結びをハスの中に入れたブレスレット。【選択図】図１
0003127686.tif 000002
【実用新案登録請求の範囲】
【請求項１】
（１）数珠
ハスの実（色つけした物等）に穴をあけ、その穴に糸をとおし、次にビーズの穴に糸をとおしでつなぎ結び止め（４ａ）し、房をつなぐ穴にとおす。リリアン糸の束の芯に糸をとおし結びのり付けし、つなぎ結び返しをして房とした数珠。
（２）ネックレス
ハスの実（色つけした物等）に穴をあけ、その穴に糸をとおし、次にビーズの穴に糸をとおし、つなぎ結びをし結びをハスの中に入れたネックレス。
（３）ブレスレット
ハスの実（色つけした物等）に穴をあけ、その穴にゴム糸をとおし、次にビーズの穴にゴム糸をとおし、つなぎ結びをし結びをハスの中に入れた。
【考案の詳細な説明】
【技術の分野】
【０００１】ハスの実、ビーズ、糸、塗料、のり、リリアン糸及びゴム糸を使い手軽に扱えるよう本考案したものである。
【背景技術】
【０００２】従来はハスの実の本考案のものはなかった。
【考案の開示】
【考案が解決しようとする課題】
【０００３】従来にはない感触の良さがハスの実にあったので、本考案されたものである。
【課題の解決するための手段】
【０００４】ハスの実は丸実であり感触がよく身近において馴染みがよいので本考案とした。
【考案の効果】
【０００５】本考案の構造はきわめて簡単で特に細かい細工を必要としない、自然の植物の実である。
従来のものに較べ本考案は自然の植物の実で考案したもので、肌に触れた感触はとても良いものである。
【実施例】
【０００６】（１）数珠
ハスの実（色つけした物等）に穴をあけ、その穴に糸をとおし、次にビーズの穴に糸をとおしでつなぎ結び止め（４ａ）し、房をつなぐ穴にとおす。リリアン糸の束の芯に糸をとおし結びのり付けし、つなぎ結び返しをして房とした数珠。
（２）ネックレス
ハスの実（色つけした物等）に穴をあけ、その穴に糸をとおし、次にビーズの穴に糸をとおし、つなぎ結びをし結びをハスの中に入れたネックレス。
（３）ブレスレット
ハスの実（色つけした物等）に穴をあけ、その穴にゴム糸をとおし、次にビーズの穴にゴム糸をとおし、つなぎ結びをし結びをハスの中に入れた。
【図面の簡単な説明】
【０００７】
【図１】本考案（数珠）の平面図
【図２】本考案（ネックレス）の平面図
【図３】本考案（ブレスレット）の平面図
【符号の説明】
１    ハスの実
２    ハスの実にあけた穴
３    ビーズ
４ａ  糸をしばった箇所
４ｂ  ハスの中に糸を結び入れた箇所
５    房をつなぐ穴
６    糸とリリアン糸の組み合わせをした房
７    糸
８    ゴム糸
【図１】
0003127686.tif 000003
【図２】
0003127686.tif 000004
【図３】
0003127686.tif 000005
【手続補正書】
【提出日】平成18年7月11日(2006.7.11)
【手続補正１】
【補正対象書類名】実用新案登録請求の範囲
【補正対象項目名】全文
【補正方法】変更
【補正の内容】
【実用新案登録請求の範囲】
【請求項１】
ハスの実１に穴２をあけ、その穴２に糸７をとおし、次にビーズ３の穴に糸をとおしてつなぎ結びをし、その結び目をハスの実の４ｂの位置に入れ、その結び目から穴５をとおして糸を出して，その糸の先をリリアン糸の束の芯にとおし結びつけて房６とした数珠。
【請求項２】
ハスの実１に穴２をあけ、その穴に糸７をとおし、次にビーズ３の穴に糸をとおしてつなぎ結びをし、結び目をハスの実の４ｂの位置に入れたネックレス又はブレスレット。
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
ハスの実（１）に穴（２）をあけ、その穴（２）に糸（７）をとおし、次にビーズ（３）の穴に糸をとおしてつなぎ結びをし、その結び目をハスの実の中に入れ、その結び目から穴（５）をとおして糸を出して、その糸の先をリリアン糸の束の芯にとおし結びつけて房（６）とした数珠。
【請求項２】
ハスの実（１）に穴（２）をあけ、その穴に糸（７）をとおし、次にビーズ（３）の穴に糸をとおしてつなぎ結びをし、結び目をハスの実の中に入れたネックレス又はブレスレット。
(57)【要約】      （修正有）【課題】目詰まりを防止することができる、ジグザグ型式板状目詰まり防止器具を提供する。【解決手段】流し台（１）の排水口（３）に装着されている網目式のゴミ容器（２）の内側に、ゴミ容器（２）とゴミ袋（５）との隙間を確保するように、６本の板状の物質をジグザクに形を作る。そのジグザク形状と６本の板にて隙間を確保する事ができる。この隙間にて目詰まりを防止する。【選択図】図１
0003127689.tif 000002
【実用新案登録請求の範囲】
【請求項１】
図１、流し台（１）の排水口（３）に装着されているゴミ容器（２）に目詰まり防止器具（４）を装着することで、不織布製等のゴミ袋（５）の目詰まりを防止する器具。
【考案の詳細な説明】
【考案の詳細な説明】
【産業上の利用分野】
【０００１】この目詰まり防止器具は、環境保護やゴミ分別を実施するうえで、欠かせないゴミを排水口から流す際に、流し台の排水口に装着されているゴミ容器に設置することで、目詰まりを防止する事ができる。
【背景技術】
【０００２】従来、流し台には、排水口に網目式のゴミ容器はあった。
【考案が解決しようとする課題】
【０００３】これは、次のような欠点があった。
（イ）網目式のゴミ容器に、ゴミ袋を装着するが、ゴミ袋とゴミ容器が密着し、目詰まりを起こすことが多かった。
（ロ）市販されているゴミ袋は、大きさが不均一であるため、ゴミ容器にに密着することが多い。
本考案は、これらの欠点を除くためになされたものである。
【課題を解決するための手段】
【０００４】図１の流し台（１）の排水口（３）に装着されている網目式のゴミ容器（２）の内側に、図１、及び図２のようにゴミ容器（２）とゴミ袋（５）との隙間を確保するように、６本の板状の物質をジグザクに形を作る。そのジグザク形状と６本の板にて隙間を確保する事ができる。この隙間にて目詰まりを防止する。
本考案は、以上のような構成よりなりうる目詰まり防止器具である。
【作用】
【０００５】流し台（１）の排水口（３）に装着されているゴミ容器（２）の内側にジグザク形状の目詰まり防止器具を装着することで、目詰まりの原因である、ゴミ袋とゴミ容器の密着を防止することができる。
【実施例】
【０００６】以下、本案の実施例について説明する。
図１の流し台（１）の排水口（３）の装着する網目式のゴミ容器（２）に６本のジグザク型式の板状目詰まり防止器具（４）を挿入し、ゴミ袋（５）を入れる。
【考案の効果】
【０００７】６本のジグザク型式の板状目詰まり防止器具を流し台の排水口のゴミ容器に装着することで、ゴミ袋とゴミ容器との隙間を確保できる。
その隙間によりゴミ袋をゴミ容器に密着させることなく、目詰まりを防止することができる。
【図面の簡単な説明】
【図１】本考案の装着例の断面図である。
【図２】本考案の正面図である。
【符号の説明】
１  流し台
２  ゴミ容器
３  排水口
４  ジグザク型式の板状目詰まり防止器具
５  ゴミ袋
【図１】
0003127689.tif 000003
【図２】
0003127689.tif 000004
【手続補正書】
【提出日】平成18年9月8日(2006.9.8)
【手続補正１】
【補正対象書類名】実用新案登録請求の範囲
【補正対象項目名】全文
【補正方法】変更
【補正の内容】
【実用新案登録請求の範囲】
【請求項１】
６本の板状、あるいはパイプ状の線材を放射線状に加工し、流し台（１）のゴミ容器（２）の形状に差し込めるような鉢型の形状に成型し、ゴミ容器（２）とゴミ袋（５）との間の隙間を確保できるようにする為の流し台排水口用ゴミ袋目詰まり防止器具。
(57)【要約】【課題】  本考案は少量の食器洗い前の油汚れを拭き取る時、ハーフサイズのキッチンペーパー、キッチンクロスを使えないかと考えました。【解決手段】  前回、生理番号００１でミシン目に目安文字の入ったキッチンペーパーを出願し、そのホルダーとして今回ネジリバネを使い、取付け易く、切り易くしたキッチンペーパーホルダーを考えました。【選択図】図２
0003127684.tif 000002
【実用新案登録請求の範囲】
【請求項１】
ロールペーパーコアー部に負荷を掛け取り付け易く、ミシン目を切り易くしたロールペーパーホルダー。
【請求項２】
マグネットを使えない場所にも取り付けられ、下向きにも取り付け使用出来る、ロールペーパーホルダー。
【考案の詳細な説明】
【技術分野】
【０００１】  本考案はミシン目で切るタイプのロールペーパーホルダーです。
【背景技術】
【０００２】  従来のロールペーパーホルダーの分野では、カッターとミシン目の両方を使うことが出来るトイレットペーパーホルダーが多く、ミシン目で切るタイプのキッチンペーパー用には、巾１８〜２３ｃｍ程の小物入れの一部として使う物を含め５、６種有り、主にロールペーパーの自重をブレーキとして使い、小さくなった時又は軽いロールペーパーには適さないように思われます。
【考案の開示】
【考案が解決しようとする課題】
【０００３】  少量の食器の油汚れを拭き取る時、大きなキッチンタオルやキッチンクロスを使うことを勿体無く感じ、トイレットペーパーサイズのキッチンペーパーを使うことが出来ればと考えました。【０００４】  キッチンペーパーホルダーのハーフサイズで使い易いホルダーを作ればと、ミシン目が切り易く、取付を兼ねネジリバネを用い、取付け場所を選ばないようにマグネットベース５をセットにしました。【０００５】  前回このホルダーに適した、ミシン目の上に目安文字の入ったロールペーパーの実用新案を整理番号００１で出願致しております。
【考案の効果】
【０００６】  ロールペーパーがワンタッチに近い簡便さで取付けられ片手で切る事が出来る。【０００７】  ネジリバネを用い小さな負荷を掛ける事で、コアー取付け部４の場所が、ペーパーを振り切る時、確かなストッパーとして働き、ロールが小さくなっても変わらず、引っ張る事が出来る巾  角度も大きく、ミシン目を軽快に切る事が出来る。【０００８】  マグネットベースはビニールコーティングした鉄板で、予備の所に取付けられ冷蔵庫と他の場所というように２ヶ所で使用する事も、食器棚の内側等下向きにも取付けられる。
【考案を実施する為の最良の形態】
【０００９】  前回、整理番号００１で出願した、ミシン目に沿って目安文字が入ったキッチンペーパーがこのホルダー用のペーパーで、ミシン目を探す手間も無く軽快に切る事が出来ます。
【００１０】  尚、厚手のトイレットペーパーを引っ張る時、ミシン目が広がり幾らか確認し易く、油汚れの拭き取りと使い道を絞って使えたらと思います。
【実施例】
【００１１】  マグネットの使えない場所にはマグネットベース５を張り付け、ホルダーを取付け後、ロールペーパーコアー部の片方をアーム１を開きながら取り付け、もう片方も同じように取付けます。【００１２】  ロールペーパーの取付け後、ペーパーの端を持って手前に引くと、ヒョイっとした感じで目安文字が出てきます。目安がロールペーパーの内側ａ内で横方向に振り切ります。【００１３】  目安の無いペーパーではミシン目の確認、又は、１５ｃｍ程の間隔を意識して切ります。
【図面の簡単な説明】
【００１４】
【図１】本考案の正面図
【図２】同考案の側面部分断面図
【符号の説明】
【００１５】１、  アーム
２、  ネジリバネ
３、  ロールペーパーコアー
４、  コアー取付部
５、  ホルダー取付台
６、  マグネット
７、  マグネットベース両面テープ付
８、  ロールペーパー
【図１】
0003127684.tif 000003
【図２】
0003127684.tif 000004
【手続補正書】
【提出日】平成18年6月30日(2006.6.30)
【手続補正１】
【補正対象書類名】実用新案登録請求の範囲
【補正対象項目名】全文
【補正方法】変更
【補正の内容】
【実用新案登録請求の範囲】
【請求項１】
アーム取付部にねじりコイルバネを用い、ロールペーパーコアー部に負荷を掛け、ロールペーパーを取付け易く、ミシン目を切り易くした、ロールペーパーホルダー。
【請求項２】
ロールペーパーコアーに負荷をかける事を特徴とし、ロールペーパー取付部に圧縮コイルバネを用い請求項１記載のロールペーパーホルダー。
【手続補正３】
【補正対象書類名】明細書
【補正対象項目名】００１５
【補正方法】変更
【補正の内容】
【００１５】  １、    アーム
２、    ネジリバネ
３、    ロールペーパーコアー
４、    コアー取付部
５、    ホルダー取付台
６、    マグネット
７、    マグネットベース両面テープ付
８、    ロールペーパー
９、    アーム取付部
１０、    ロールペーパー取付部
【手続補正４】
【補正対象書類名】図面
【補正対象項目名】全図
【補正方法】変更
【補正の内容】
【図１】
0003127684.tif 000005
【図２】
0003127684.tif 000006
(57)【要約】      （修正有）【課題】本考案は、従来例に存しない伸長した先棒を係止させる機構と該係止を開放させる開鎖機構を極めて簡単な構造で万一の場合を配慮し無故障とし使用時にあってはノータッチ「ひとふり」で伸長しワンタッチで収容できることを課題とし目的とするものである。【解決手段】本考案の警棒は現在広域に利用されている警察官警棒の三段伸縮式を二段伸縮式とし全く新規な制御方式を開発したものである。基筒の後端部に螺嵌したキャップと連通状の係止蓋の中心部の直線状のガイド棒を貫通状に設け外蓋へ螺着し、該ガイド棒の先端部へ先部及び後部を砲弾状の円錐形状の突起部を設けて開鎖機構を形成する。【選択図】図３
0003127682.tif 000002
【実用新案登録請求の範囲】
【請求項１】
中空円筒形状の棒状体の基筒と該基筒内に収容される棒状の中空円筒形状の先筒によって形成された新規な二段伸縮警棒であって、
該基筒の後端部先筒を係止し連接する閉鎖機構を螺着した新規な二段伸縮警棒。
【請求項２】
基筒の後端部に螺嵌したキャップ状の係止蓋の中心部に先端部に砲弾状の先部及び後部を有した針金状のガイド棒を形成した新規な二段伸縮警棒。
【請求項３】
先筒内部後端部へ基筒内への嵌脱自在とする整合開鎖機構を形成した新規な二段伸縮警棒。
【考案の詳細な説明】
【技術分野】
【０００１】  本考案は要人の警護、諸般の警備等に携わる警察官或いは財物の移送、重要建造物等の警備任務を業とする警備員等が携帯して用いる警棒に関するものである。
【背景技術】
【０００２】  従来よりこの種の伸縮式警棒は本件出願人が開発し、特許第３２０２４５９号を取得し現在約３０万人の警察官等が使用中の三段式伸縮警棒を始め多数の警棒が開発されている。
【考案が解決しようとする課題】
【０００３】  本件警棒には、短縮した状態を保ち、使用時には迅速に所定の長さに伸長し該伸長した状態で一定の強度を有し、且つ簡単な操作で短縮できる機構が必須である。
【０００４】  本考案は従来例に存しない伸長した先棒を係止させる機構と該係止を開放させる開鎖機構を極めて簡単な構造で万一の場合を配慮し無故障とし使用時にあってはノータッチ「ひとふり」で伸長しワンタッチで収容できることを課題とし目的とするものである。
【課題を解決するための手段】
【０００５】  本考案の警棒は現在広域に利用されている警察官警棒の三段伸縮式を二段伸縮式とし全く新規な制御方式を開発したものである。
基筒の後端部に螺嵌したキャップと連通状の係止蓋の中心部の直線状のガイド棒を貫通状に設け外蓋へ螺着し、該ガイド棒の先端部へ先部及び後部を砲弾状の円錐形状の突起部を設けて開鎖機構を形成する。
【０００６】  次に先筒内部後端部へガイド棒によって基筒の他方の先端部の内部にリング状の切欠溝に合致する係着片を押入して開鎖機構が閉止状と成り先筒と基筒が伸長状態と成り係止する。
【０００７】  更に先筒を基筒内に縮納する場合はガイド棒の突起部が係着片を押出して輪状切欠溝より開放されるものである。
【考案を実施するための最良の形態】
【０００８】  上記のように先筒と基筒を有した二段式の警棒であって、先筒の後端部には伸長時の係止部を設け先端部には縮納時の落脱を防止するストップ部を形成する。次に基筒の先端部の内周面には輪状切欠溝を設け後端部へは蓋体に設けた棒状のガイド棒を螺止した開鎖機構を形成したものである。
【実施例】
【０００９】  以下本考案を添付図面に基づいて説明する。
図１に示すように本考案の警棒（１）は先筒（２）と基筒（３）によって構成された新規な二段式伸縮自在とした警棒であって基筒（３）の後端部に警棒（１）の伸縮を司る開鎖機構（４）を設け、該機構（４）は後端部に螺嵌したキャップ状の外蓋（５）の中心部に直線針金状のガイド棒（６）を強固に螺止し、該棒体の先端部に砲弾形状の先部及び後部を有した円錐形状の突起部（７）を設け、該ガイド棒（６）が中心部を貫通状に蓋体（８）を通過させて設ける。
次に基筒（３）の略先端内部へ円周状の切欠溝（９）を設けて開鎖機構（４）を形成する。
先筒（２）の内部後端部へ基筒（３）に設けた輪状の切欠溝（９）に合致する部位に内径に螺嵌する円筒形状の整合開鎖機構（１０）を設け、該整合開鎖機構（１０）内部に貫通孔を設けた係着片（１１）を封着する。
次に先筒（２）の内部先端部へガイド棒（６）を掴持する係留部位（１２）を蓋体と合着して螺着して形成したものである。
上記によって形成した先筒（２）と基筒（３）は合体して二段警棒（１）を構成するものである。
【産業上の利用可能性】
【００１０】  本考案の二段式伸縮警棒は、本件出願人が長年に亙って業として開発した保安用品の一部である。
【図面の簡単な説明】
【００１１】
【図１】は本考案の二段警棒の平面図である。
【図２】は本考案の二段警棒の伸長時の要部を断面で表した説明図である。
【図３】は本考案の二段警棒の縮容時の要部を断面で表した説明図である。
【符号の説明】
【００１２】      １…本考案の二段警棒
２…先筒
３…基筒
４…開鎖機構
５…外蓋
６…ガイド棒
７…ガイド棒の突起部
８…蓋体
９…切欠溝
１０…整合開鎖機構
１１…係着片
１２…ストップ部係留機。
【図１】
0003127682.tif 000003
【図２】
0003127682.tif 000004
【図３】
0003127682.tif 000005
【手続補正書】
【提出日】平成18年5月30日(2006.5.30)
【手続補正１】
【補正対象書類名】実用新案登録請求の範囲
【補正対象項目名】全文
【補正方法】変更
【補正の内容】
【実用新案登録請求の範囲】
【請求項１】
中空円筒形状の棒状体の基筒と該基筒内に収容される棒状の中空円筒形状の先筒によって形成された新規な二段伸縮警棒であって、
該基筒の後端部先筒を係止し連接する閉鎖機構を螺着した新規な二段伸縮警棒。
【請求項２】
上記、基筒の後端部に螺嵌したキャップ状の係止蓋の中心部に先端部に砲弾状の先部及び後部を有した針金状のガイド棒を形成した請求項１に記載の新規な二段伸縮警棒。
【請求項３】
上記、先筒内部後端部へ基筒内への嵌脱自在とする整合開鎖機構を形成した請求項１に記載の新規な二段伸縮警棒。
【手続補正書】
【提出日】平成18年9月19日(2006.9.19)
【手続補正１】
【補正対象書類名】実用新案登録請求の範囲
【補正対象項目名】全文
【補正方法】変更
【補正の内容】
【実用新案登録請求の範囲】
【請求項１】
中空円筒形状の棒状体の基筒と該基筒内に収容される棒状の中空円筒形状の先筒によって形成された新規な二段伸縮警棒であって、
該基筒内の先筒の後端部を係止し基筒と連接する閉鎖機構を螺着した新規な二段伸縮警棒。
【請求項２】
上記、基筒の後端部に螺嵌したキャップ状の係止蓋の中心部に先端部に砲弾状の先部及び後部を有した針金状のガイド棒を形成した請求項１に記載の新規な二段伸縮警棒。
【請求項３】
上記、先筒内部後端部へ基筒内への嵌脱を自在とする整合開鎖機構を形成した請求項１に記載の新規な二段伸縮警棒。
【手続補正２】
【補正対象書類名】図面
【補正対象項目名】図２
【補正方法】変更
【補正の内容】
【図２】
0003127682.tif 000006
(57)【要約】【課題】繊維製品への取り付けの際にその取付位置に一時的に固定することができる表示ラベル及びその製造に供される基布を提供すること、及び洗濯により剥がれにくい表示ラベル及び基布を提供すること。【解決手段】表示ラベル用基布（１２）は、印刷が施される一面と、感熱接着剤層（１８）が形成された他面であって感熱接着剤層上に互いに間隔をおいて複数の粘着剤層（２０）が形成された他面とを有する。表示ラベルは基布の一面に印刷を施してなる。基布及び表示ラベルは、全体に矩形の平面形状を有し、その各コーナ部が角丸をなす。【選択図】図１
0003127611.tif 000002
【実用新案登録請求の範囲】
【請求項１】
印刷が施される一面と、感熱接着剤層が形成された他面であって該感熱接着剤層上に互いに間隔をおいて複数の粘着剤層が形成された他面とを有する、表示ラベル用基布。
【請求項２】
全体に矩形の平面形状を有し、その各コーナ部が角丸をなす、請求項１に記載の表示ラベル用基布。
【請求項３】
請求項１又は２に記載の基布の一面に印刷を施してなる、表示ラベル。
【考案の詳細な説明】
【技術分野】
【０００１】
本考案は、衣類や寝具のような繊維製品に付される表示ラベル及びその基布に関する。
【背景技術】
【０００２】
表示ラベルは、繊維製品の品質や使用方法を表示し、また繊維製品が例えばレンタル用品の場合にはその使用者を特定する氏名、バーコード等を表示するために繊維製品に付される。
【０００３】
従来、表示ラベルは矩形状の基布の一面に印刷を施してなり、前記基布は表示ラベルを繊維製品に接着するための感熱接着剤層が形成された他面を有する。
【０００４】
表示ラベルは、通常、これにアイロンを当てて繊維製品に取り付けられる（アイロンプレス）ところ、その際に表示ラベルが動き、その取付予定位置からずれることがある。
【０００５】
また、取り付け後の繊維製品の洗濯によって表示ラベルがそのコーナ部から剥がれることがある。
【考案の開示】
【考案が解決しようとする課題】
【０００６】
本考案の目的は、繊維製品への取り付けの際にその取付位置に一時的に固定することができる表示ラベル及びその製造に供される基布を提供することにある。また、本考案の他の目的は、洗濯により剥がれにくい表示ラベル及び基布を提供することにある。
【課題を解決するための手段】
【０００７】
本考案に係る表示ラベル用基布は、印刷が施される一面と、感熱接着剤層が形成された他面であって該感熱接着剤層上に互いに間隔をおいて複数の粘着剤層が形成された他面とを有し、表示ラベルはこの基布の一面に印刷を施してなる。
【０００８】
前記基布及び表示ラベルは、全体に矩形の平面形状を有し、その各コーナ部が角丸をなすものとすることができる。
【考案の効果】
【０００９】
本考案によれば、表示ラベルの基布の感熱接着剤層上に複数の粘着剤層を形成したことから、この粘着剤層を介して、表示ラベルを前記繊維製品に一時的に接着、固定することができ、これにより、繊維製品への表示ラベルの取り付けの際におけるその取付位置からのずれを防止することができる。一時的に固定された表示ラベルは、互いに間隔をおいて配置された前記粘着剤層相互間から露出する前記感熱接着剤層を介して、繊維製品に堅固に取り付けることができる。
【００１０】
また、全体に矩形状をなす表示ラベルの各コーナ部を角丸とするときは、コーナ部が角（直角）をなすものと比べて、繊維製品から表示ラベルが剥離しにくいものとすることができる。
【考案を実施するための最良の形態】
【００１１】
図１を参照すると、本考案に係る表示ラベルが全体に符号１０で示されている。
【００１２】
表示ラベル１０は基布１２を含む。表示ラベル１０は基布１２の一面（表面）１４に印刷を施したものからなる。印刷内容は、例えば衣類や寝具のような繊維製品の品質や使用方法、繊維製品の使用者を特定する氏名、バーコード等からなる。
【００１３】
表示ラベル１０は、好ましくは、全体に矩形状を呈し、その各コーナ部１６が角丸をなす。角丸の（すなわち円弧状を呈する）コーナ部１６は、表示ラベル１０が前記繊維製品に取り付けられたときのコーナ部１６を起点とする表示ラベル１０の剥離の防止に寄与する。
【００１４】
基布１２は例えばポリエステル製のタフタを基材とする。前記基材の一面には、これを前記印刷に適する平滑な面とするため、例えばウレタン樹脂が塗布されている。
【００１５】
前記基材の一面に相対する他面（図示せず）には、その全部を覆う感熱接着剤層１８が塗布により形成されている。感熱接着剤層１８は例えばウレタン樹脂からなり、フィルム状を呈する。
【００１６】
また、感熱接着剤層１８上には、複数の粘着剤層２０が互いに間隔をおいて形成されている。図示の例では、各粘着剤層２０が帯状又は線状を呈し、基布１２の輪郭形状である前記矩形の短辺に平行に伸びている。
【００１７】
粘着剤層２０は例えば水性エマルジョンからなり、感熱接着剤層１８上に粘着剤を例えばスクリーン印刷をもって塗布することにより形成することができる。粘着剤層２０の厚さ寸法は例えば約１５μｍに設定することができる。粘着剤層２０の数量、幅寸法、厚さ寸法等は任意に定めることができる。また、粘着剤層２０は、これを線状又は帯状とする図示の例に代えて、点状に散在するように形成することができる。
【００１８】
表示ラベル１０は、粘着剤層２０を前記繊維製品に向けて押し付けることにより、一時的に前記繊維製品に接着又は固定することができ、一時的に固定された表示ラベル１０は引き剥がすことができる。表示ラベル１０の前記一時的な固定により、後記表示ラベル１０の取り付けの際における表示ラベル１０の前記繊維製品に対する位置ずれを防止することができる。
【００１９】
表示ラベル１０の基布１２は、片面に前記感熱接着剤層と前記粘着剤層とが前記したように形成された帯状の布を、前記粘着剤層を下にして、プラスチックフィルムからなる台紙２２の上におき、これをダイスで打ち抜くこと（ダイカット）により、台紙２２に沿って一列に並ぶ複数の基布１２を形成することができる（図２参照）。
【００２０】
前記ダイカットにより生じた複数の基布１２は、粘着剤層２０を介して台紙２２に一時的に固定されていることから、これらの並びが乱れることはなく、このため、これらの基布１２の表面に順次印刷を施すことができ、これにより、台紙２２に一時的に固定された複数の表示ラベル１０を形成することができる。
【００２１】
表示ラベル１０は、台紙２２から引き剥がしてその使用に供される。使用に際し、その粘着剤層２０を介して、これを繊維製品に仮止めし、その上からアイロンを当てると、感熱接着剤層１８が熱溶融し、粘着剤層２０間において前記繊維製品に接し、これに固着する。その結果、表示ラベル１０が前記繊維製品に取り付けられる。
【図面の簡単な説明】
【００２２】
【図１】本考案に係る表示ラベルの底面図である。
【図２】台紙上に形成された複数の基布の平面図である。
【符号の説明】
【００２３】
１０  表示ラベル
１２  基布
１６  コーナ部
１８  感熱接着剤層
２０  粘着剤層
【図１】
0003127611.tif 000003
【図２】
0003127611.tif 000004
(57)【要約】      （修正有）【課題】本考案は、日本文化の良さである礼、心づくしの伝統を継承し、自然なものとして受け入れやすいしおり形状付一体形お礼状を提供する。【解決手段】本考案は、廃止も検討されつつある儀礼的部分から脱却し、日本文化の継承（永久的）されていくであろう手紙、挨拶文面状の一部として自然に違和感のない形態で一体化し受け入れやすい物とする。合わせて作成工程の一部を福祉施設等に委ねることで多少なりとも社会貢献に寄与する。【選択図】図２
0003127638.tif 000002
【実用新案登録請求の範囲】
【請求項１】
挨拶状、礼状、会葬礼状類と一体化した形式で飾り物を用いたしおり形状の物を備えることを特徴とするしおり形状付一体形お礼状。
【請求項２】
前記飾り物は植物の葉を用いたものであることを特徴とする請求項１記載のしおり形状付一体形お礼状。
【請求項３】
前記植物は菩提樹であることを特徴とする請求項２記載のしおり形状付一体形お礼状。
【考案の詳細な説明】
【技術分野】
【０００１】
本考案は、お礼状にしおり形状物が一体化した礼状である。
【背景技術】
【０００２】
従来の挨拶状、礼状、会葬礼状類は挨拶文や写真等が印刷された物のみであった。
【考案の開示】
【考案が解決しようとする課題】
【０００３】
現状に於いて、例えば仏事では慣習的に告別式等礼状に添えてお礼品をセットとして会葬者に手渡すことが通例となっていたが、昨今地域によりお礼品の部分を廃止する動きも有、会葬者への心づくしという目的から懸け離れ葬儀業界の大問題となっている。
ここで、考案はお礼品の一アイテムという思考ではなく、礼状に含まれる一体化したしおり形状物をセットすることにより本来の心づくしの目的が達成され及び、この考案物の作成工程を福祉関連・身障者等施設にも一部委ねることにより単なる儀礼的行為から発展し、社会貢献にまで業界、地域含めて協力する社会を形成することを目的とする。
【課題を解決するための手段】
【０００４】
以上の課題を解決するために、本考案のお礼状と一体化した形式で飾り物を用いたしおり形状の物を備えることを特徴とするしおり形状付一体形お礼状により廃止の対象と成り得ないお礼状の一部として来客者に心づくしの品として配布することが自然と可能となり問題を解決出来る。
【考案の効果】
【０００５】
仏事を例に上げると、儀礼廃止により喪家の心づくしの部分までも結果的に損なわれつつあったが、考案の実施によりこの目的が達成され元来ある日本文化の良い部分を継承し、平等で住み良い社会づくりに寄与することが出来る。
【考案を実施するための最良の形態】
【０００６】
お礼状にポケット形状の部分を付ける。又はお礼状に挟めて一体化した形式で飾り物を用いたしおり形状物を封筒の中にセットする。仏事で例を上げると菩提樹の葉を用いたしおり形状の物を使用することとすると、仏教＝神聖なる木＝開祖釈迦に通じ、仏事礼状の一例で説明すると違和感のない自然な一体形と考えられる。また、祝事に於いては、トロピカル色彩の植物の葉を用いたしおり形状物を使用しても自然な一体形と考えられる。
【実施例】
【０００７】
以下、添付図面に従って一実施例を説明する。１は見開きタイプのお礼状で、２は飾り物を用いたしおり形状物である。３はお礼状にポケット形状の物を付けた形態であり、この３の箇所に２をセットして一体形とする。又は、１に２を挟めた形式でセットして一体形とする。１aは２つ折又は複数折りタイプのお礼状で、２を１aに添えるか挟める形式でセットして一体形とする。１bはハガキタイプ（非見開き形）のお礼状で、２を１bに添える形式でセットして一体形とする。４は封筒で上述一体形の物をいずれも４に入れて完成形とする。
【０００８】
なお、１と２の一体形１aと２の一体形、１bと２の一体形の場合、まれに４の封筒に入れず、その前段階で完成形となる場合もある。
【図面の簡単な説明】
【０００９】
【図１】お礼状のポケット部分にセットする形式の本考案の実施例の正面図である。
【図２】見開き形お礼状にセットする形式の本考案の実施例の正面図である。
【図３】ハガキ形お礼状にセットする形式の本考案の実施例の正面図である。
【図４】２つ折り、又は複数折形お礼状にセットする形式の本考案の実施例の正面図である。
【図５】飾り物を用いたしおり形状の物。ここでは、一例として植物の葉を用いた物の正面図である。
【符号の説明】
【００１０】
１    見開きタイプお礼状
１a   ２つ折又は複数折りタイプお礼状    
１b   ハガキタイプ（非見開き形）お礼状
２    飾り物を用いたしおり形状物
３    お礼状にポケット形状の物を付けた形
４    封筒
【図１】
0003127638.tif 000003
【図２】
0003127638.tif 000004
【図３】
0003127638.tif 000005
【図４】
0003127638.tif 000006
【図５】
0003127638.tif 000007
(57)【要約】      （修正有）【課題】雨水を広く利用できる、簡単で安価な取水装置を提供する。【解決手段】雨どい用取水装置は円筒形短管１で直径６０ミリ長さ１５０ミリ程度の大きさで取水構造を含有するものである。オ−バ−フロ−用の配管２は底部仕切板に位置し、貯水、放水をする。フイルタ−付ねじ込みエルボ３は雨水を貯水タンクへ流す。ドレンコック４は沈澱物を除去する構造である。【選択図】図１
0003127673.tif 000002
【実用新案登録請求の範囲】
【請求項１】
（１）の本体は円筒形短管で樹脂、又は金属でなり（２）のオ−バ−フロ−配管は底部仕切り板に位置し貯水、放水をする・（３）のフイルタ−付ねじ込みエルボは管内の水を別途貯水タンクへ流す、（４）はドレンコックで沈澱物等を除去する構造の取水装置
【考案の詳細な説明】
【考案の詳細な説明】
【０００１】［考案に属する技術分野］
本考案は水資源及び利用に関わるもので屋上に降る大量の雨水を無利用のまま放流せず、縦どいの−部をカットし当該取水装置の上下に市販の継ぎ手を差し込み接続する作業で、家庭で簡単、少経費で取り付けられ自動的にタンクへ流れ貯水し防火、花壇、洗車、散水と広く利用でき節水、節電と環境にやさしい取水装置である。
【０００２】［従来の技術］
この種の雨水利用設備装置は大型ダム、揚水関連が多く−般家庭での取水装置の普及は薄く。使用者が少ない。
【０００３】［考案が解決しようとする課題］
従来の技術で述べたように大量の雨水はほとんど放置状態で河川へ流され農、工、飲用水として揚水、利用されている。家庭での雑用水も水道水が多く使用されている現状である、この代替として雨水を．広く利用し易く容易に取り付けできる部品型とし、節電節水、につながる装置とする。
【０００４】［課題を解決しようとする手段］
上記目的を達成するため本考案における取水装置は家屋に設置された既設の縦どいの−部をカット、差し込み取り付け、屋上雨水を受けとめエルボを通じ備蓄タンクへ流す。過剰水はオ−バ−フロ−配管を通り放出され、又装置内の堆積土砂はドレンコックをあけ適宜処理する。
【０００５】［考案の実施の形態］
考案の実施の形態について図面を参照して説明する。図１において（１）は円筒形の樹脂でなり取水構造をなす本体である（２）はオ−バ−フロ−配管で内部の水位を保ち過剰水を放出、調整する。（３）はフイルタ−を有するねじ込エルボで貯水タンクへ送水する出水口である。（４）はドレンで円筒内の沈澱物等取り出す構造である。
［実施例］
６月１日実質降雨１０時間４０ミリで３００リットルを貯水、以後１週間降雨無しで花壇、雑用と使用、不足なし。
【０００６】［考案の効果］
本考案は上述のとおり構成されているので次に記載する効果を奏する。
【０００７】［請求項１の装置については直径６０ミリ、長さ１５０ミリ程度の短管で（２）のオ−バ−フロ−配管（３）のフイルタ−付ねじ込みエルボ（４）のドレンを配し小さく仕上げた取水装置であり取り付けは市販の短管を上下に利用し、縦どいの−部をカットし差し込む作業で経費とも軽負担で菜園・散水・防火等利用され、水道水の節約・節電と効果は大きい。
【図面の簡単な説明】【図１】
取水装置全体の斜視図である
【符号の説明】
１円筒形短管
２オ−バ−フロ−配管
３フイルタ−付きねじ込みエルボ
４ドレンコック
【図１】
0003127673.tif 000003
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
「円筒形短管（１）の骨組で構成されており、この下部内に設置されるオ−バ−フロ−配管（２）で水位を上げ、側面上部に設けるフイルタ−付きねじ込みエルボ（３）で送水する。下部に設けるドレンコック（４）で点検・清掃をおこなう装置」
【手続補正書】
【提出日】平成17年10月26日(2005.10.26)
【手続補正１】
【補正対象書類名】実用新案登録請求の範囲
【補正対象項目名】全文
【補正方法】変更
【補正の内容】
【実用新案登録請求の範囲】
【請求項１】
円筒形短管（１）の骨組で構成されており、この下部内に設置されるオ−バ−フロ−配管（２）で水位を上げ、側面上部に設けるフイルタ−付きねじ込みエルボ（３）で送水し、下部に設けるドレンコック（４）で清掃をおこなう装置